(57)【要約】      （修正有）【課題】ＳＣＥＬＬ無線リンクモニタリングおよび無線リンク障害ハンドリングを行う方法および装置を提供する。【解決手段】ユーザ装置ＵＥ１０３は、基地局ｅＮＢ１０１と無線リソース制御(ＲＲＣ)接続を構築する。ＵＥ１０３は、複数のコンポーネントキャリア(ＣＣ)にキャリアアグリゲーションを実行する。ＵＥ１０３は、プライマリーサービングセルＰＣＥＬＬで無線リンクモニタリングを実行に加え、選択された参照セカンダリーサービングセル(ＳＣＥＬＬ)でも、無線リンクモニタリングを実行する。参照ＳＣＥＬＬのパフォーマンスが所定基準より低い時、ＵＥ１０３およびｅＮＢ１０１は、セカンダリサービングセルＳＣＥＬＬ１〜４で、ある動作を実行する（ＲＬＭ/ＲＦＬハンドリング）ことにより、スプリアスおよび制御できないアップリンクＳＣＥＬＬの伝送、別のＵＥへの干渉を防止する。【選択図】図１
2015216681.tif 000002
【特許請求の範囲】
【請求項１】
ユーザ装置 (以下、ＵＥと称す)により、基地局と無線リソース制御 (以下、ＲＲＣと称す)接続を構築し、前記ＵＥにより、複数のコンポーネントキャリア (以下、ＣＣと称す)に、キャリアアグリゲーションを実行する工程と、
前記ＵＥにより、プライマリーサービングセル(以下、ＰＣＥＬＬと称す)で無線リンクモニタリングを実行する工程であって、前記ＰＣＥＬＬはひとつ以上ＣＣの第１ＣＣグループに属す工程と、
セカンダリーサービングセル(以下、ＳＣＥＬＬと称す)を参照セルとして選択する工程であって、前記ＳＣＥＬＬはひとつ以上のＣＣの第２ＣＣグループに属する工程と、
前記ＵＥにより、選択された参照ＳＣＥＬＬで無線リンクモニタリングを実行する工程と、
前記参照ＳＣＥＬＬのパフォーマンスが所定基準より低い時、前記参照ＳＣＥＬＬまたは前記第２ＣＣグループ中の全ＣＣで動作を実行する工程と、
を含むことを特徴とする方法。
【請求項２】
前記参照ＳＣＥＬＬは、パスロス参照、および／または、タイミングアドバンス参照として用いられることを特徴とする請求項１に記載の方法。
【請求項３】
前記参照ＳＣＥＬＬは、ランダムアクセスチャネル (ＲＡＣＨ)工程を実行するために用いられることを特徴とする請求項１に記載の方法。
【請求項４】
前記無線リンクモニタリングは、スレショルドＱＩＮ／ＱＯＵＴ測定に基づいたダウンリンク監視を含むことを特徴とする請求項１に記載の方法。
【請求項５】
前記無線リンクモニタリングは、Ｎ３１０／Ｎ３１１/Ｔ３１０メカニズムに基づいた前記ＲＲＣ接続の物理層問題の検出に基づく無線リンク障害検出を含むことを特徴とする請求項４に記載の方法。
【請求項６】
前記無線リンクモニタリングは、ランダムアクセスチャネル(ＲＡＣＨ)失敗検出、および／または、最多回数の無線リンク制御(ＲＬＣ)再伝送に基づいた無線リンク障害検出を含んだアップリンク監視を含むことを特徴とする請求項１に記載の方法。
【請求項７】
前記動作は、前記ＵＥが、基地局に対して、検出された前記参照ＳＣＥＬＬの無線リンク障害、前記ＳＣＥＬＬの無効化、前記参照ＳＣＥＬＬに収集される問題イベント情報の可用性、および、前記参照ＳＣＥＬＬに収集される問題イベント情報中の少なくともひとつを通知する工程を含むことを特徴とする請求項１に記載の方法。
【請求項８】
前記動作は、前記ＵＥが、自立的に、前記参照ＳＣＥＬＬ上のアップリンク伝送を停止する工程を含むことを特徴とする請求項１に記載の方法。
【請求項９】
ユーザ装置 (以下、ＵＥと称す)であって、
無線ネットワークで基地局と無線信号を交換する無線周波トランシーバと、
複数のコンポーネントキャリア (以下、ＣＣと称す)で構築される無線リソース制御（以下、ＲＲＣと称す）接続を前記基地局と構築する無線リソース制御 (ＲＲＣ)接続管理モジュールと、
ひとつ以上のＣＣの第１ＣＣグループに属するプライマリーサービングセル(ＰＣＥＬＬ)、および、ひとつ以上のＣＣの第２ＣＣのグループに属する選択された参照セカンダリーサービングセル(以下、参照ＳＣＥＬＬと称す)で無線リンクモニタリングを実行する無線リンクモニタリングモジュールと、
前記参照ＳＣＥＬＬのパフォーマンスが所定基準より低い時、前記参照ＳＣＥＬＬまたは前記第２ＣＣグループ中の全ＣＣで動作を実行するＳＣＥＬＬ設定モジュールとを含む
ことを特徴とするユーザ装置。
【請求項１０】
前記参照ＳＣＥＬＬは、パスロス参照および／またはタイミングアドバンス参照として用いられることを特徴とする請求項９に記載のユーザ装置。
【請求項１１】
前記参照ＳＣＥＬＬは、ランダムアクセスチャネル(ＲＡＣＨ)工程を実行するために用いられることを特徴とする請求項９に記載のユーザ装置。
【請求項１２】
前記無線リンクモニタリングは、スレショルドＱＩＮ／ＱＯＵＴ測定に基づいたダウンリンク監視を含むことを特徴とする請求項９に記載のユーザ装置。
【請求項１３】
前記無線リンクモニタリングは、Ｎ３１０／Ｎ３１１/Ｔ３１０メカニズムに基づいた前記ＲＲＣ接続の物理層問題の検出に基づく無線リンク障害検出を含むことを特徴とする請求項１２に記載のユーザ装置。
【請求項１４】
前記無線リンクモニタリングは、ランダムアクセスチャネル(ＲＡＣＨ)失敗検出および／または最多回数の無線リンク制御(ＲＬＣ)再伝送に基づいた無線リンク障害検出を含んだアップリンク監視を含むことを特徴とする請求項９に記載のユーザ装置。
【請求項１５】
前記動作は、前記ＵＥが、基地局に対して、検出された前記参照ＳＣＥＬＬの無線リンク障害、前記参照ＳＣＥＬＬの無効化、前記参照ＳＣＥＬＬに収集される問題イベント情報の可用性、および、前記参照ＳＣＥＬＬに収集される問題イベント情報中の少なくともひとつを通知する工程を含むことを特徴とする請求項９に記載のユーザ装置。
【請求項１６】
前記動作は、前記ＵＥが、自立的に、前記ＳＣＥＬＬ上のアップリンク伝送を停止する工程を含むことを特徴とする請求項９に記載のユーザ装置。
【請求項１７】
複数のコンポーネントキャリア(以下、ＣＣと称す)で構築される無線リソース制御 (ＲＲＣ)接続を、ユーザ装置(以下、ＵＥと称す)と構築する工程と、
ひとつ以上のＣＣをＣＣグループとして前記ＵＥに設定する工程であって、前記ＣＣグループは、参照セルとしてセカンダリーサービングセル(以下、参照ＳＣＥＬＬと称す)を含んでいる、工程と、
検出された前記参照ＳＣＥＬＬ中の無線リンク障害、参照された前記参照ＳＣＥＬＬの無効化、前記参照ＳＣＥＬＬに収集される問題イベント情報の可用性、および、前記参照ＳＣＥＬＬに収集される前記問題イベント情報中の少なくともひとつを含む通知を前記ＵＥから受信する工程と、
受信した前記通知に基づき、前記参照ＳＣＥＬＬまたは前記ＣＣグループ中の全ＣＣで動作を実行する工程とを含む
ことを特徴とする方法。
【請求項１８】
前記参照ＳＣＥＬＬは、前記ＣＣグループのパスロス参照および／またはタイミングアドバンス参照として用いられることを特徴とする請求項１７に記載の方法。
【請求項１９】
前記参照ＳＣＥＬＬはランダムアクセスチャネル(ＲＡＣＨ)工程を実行するために用いされることを特徴とする請求項１７に記載の方法。
【請求項２０】
前記動作は、前記参照ＳＣＥＬＬを無効化させるまたは設定解除する工程を含むことを特徴とする請求項１７に記載の方法。
【請求項２１】
前記動作は、前記ＵＥから収集される問題イベント情報を要求および回収する工程を含むことを特徴とする請求項１７に記載の方法。
【発明の詳細な説明】
【技術分野】
【０００１】
この出願は、２０１１年５月３日に出願された“SCELL Radio Link Monitoring and Radio Link Failure Handling”と題された米国特許仮出願番号６１／４８１８５０号から、合衆国法典第３５編第１１９条の下、優先権を主張するものであり、その内容は引用によって本願に援用される。
【０００２】
本発明は、無線リンクモニタリング (ＲＬＭ：Ｒａｄｉｏ  Ｌｉｎｋ  Ｍｏｎｉｔｏｒｉｎｇ)および無線リンク障害 (ＲＦＬ：Ｒａｄｉｏ  Ｌｉｎｋ  Ｆａｉｌｕｒｅ) ハンドリングに関するものであって、特に、キャリアアグリゲーション (ＣＡ：Ｃａｒｒｉｅｒ  Ａｇｇｒｅｇａｔｉｏｎ)を有するセカンダリーサービングセル(ＳＣＥＬＬ：Ｓｅｃｏｎｄａｒｙ  Ｓｅｒｖｉｎｇ  Ｃｅｌｌ)のＲＬＭおよびＲＦＬハンドリングに関するものである。  
【背景技術】
【０００３】
３ＧＰＰロングタームエボリューション (ＬＴＥ)ネットワークにおいて、進化型ユニバーサル地上無線アクセスネットワーク (Ｅ-ＵＴＲＡＮ)は、複数の基地局、たとえば、ユーザー装置(ＵＥ（Ｕｓｅｒ  Ｅｑｕｉｐｍｅｎｔ）)と称される複数の移動局と通信する進化型Node-Bs (ｅＮＢ：Ｅｃｏｌｖｅｄ  Ｎｏｄｅ−Ｂｓ)を含む。ＵＥは、無線リンクモニタリング (ＲＬＭ)メカニズムにより、ダウンリンク (ＤＬ)の品質を監視して、無線リンクが、伝送を継続するのに十分か判断する。たとえば、ＵＥは、セル特定参照信号 (ＣＲＳ：Ｃｅｌｌ−Ｓｐｅｃｉｆｉｃ  Ｒｅｆｅｒｅｎｃｅ  Ｓｉｇｎａｌ)に基づいて、ＤＬ品質を監視して、サービングセルのダウンリンク無線リンク品質を検出する。ＵＥは、また、推定されたＤＬ品質とスレショルドＱｏｕｔとＱｉｎを比較して、サービングセルのダウンリンク無線リンク品質を監視する。ＲＬＭに加え、Ｎ３１０／Ｎ３１１/Ｔ３１０ メカニズムに基づいて、物理層問題を検出することが出来、物理層問題が検出されると、ＵＥは無線リンク障害 (ＲＦＬ)とみなし、ＭＡＣ層がランダムアクセス問題を示し、再伝送が最多数に到達することをＲＬＣ層で示す時も、ＲＦＬと見なされる。一旦、ＲＦＬが検出されると、ＵＥは、ＲＦＬ情報を収集および保存し、ＲＲＣ（Ｒａｄｉｏ  Ｒｅｃｏｕｒｃｅ  Ｃｏｎｔｒｏｌ）接続再構築を試みる。このような試みが失敗の場合、ＵＥはRRC_IDLEに戻る。ＲＲＣ接続再構築またはＲＲＣ接続セットアップが成功後、要求受信時、ＵＥは、ＲＦＬ報告の可用性をｅＮＢに示し、ＲＦＬ 情報をｅＮＢに報告する。
【０００４】
ＬＴＥ Ｒｅｌ-１０において、キャリアアグリゲーション (ＣＡ：Ｃａｒｒｉｅｒ  Ａｇｇｒｅｇａｔｉｏｎ)のコンセプトが導入されて、システムスループットを向上させる。ＣＡにより、二個以上のＣＣ（Ｃｏｍｐｏｎｅｎｔ  Ｃａｒｒｉｅｒ）が凝集されて、100MHzに達する広い伝送バンド幅をサポートする。Ｒｅｌ-１０において、ＣＡの受信および／または伝送能力を有するＵＥは、複数のサービングセルに対応する複数のＣＣ上で、同時に、受信および／または伝送することができる。ＣＡが設定される時、ＵＥは、ネットワークと、一ＲＲＣ接続だけを有する。ＲＲＣ接続構築/再構築またはハンドオーバ時、一サービングセルはＮＡＳ移動情報を提供する。ＲＲＣ接続再構築またはハンドオーバ時、一サービングセルはセキュリティ入力を提供する。このセルはプライマリーサービングセル (ＰＣＥＬＬ：Ｐｒｉｍａｒｙ  Ｓｅｒｖｉｎｇ  Ｃｅｌｌ)と称され、別のセルはセカンダリーサービングセル(ＳＣＥＬＬ：Ｓｅｃｏｎｄａｒｙ  Ｓｅｒｖｉｎｇ  Ｃｅｌｌ)と称される。ＵＥ能力に基づいて、ＳＣＥＬＬは、ＰＣＥＬＬと共に、一組のサービングセルを形成する。
【０００５】
ＬＴＥ Ｒｅｌ-１０において、ＲＬＭおよびＲＦＬは、ＰＣＥＬＬだけに応用される。ＤＬ ＰＣＥＬＬ上のＲＦＬ検出は、Ｎ３１０／Ｎ３１１/Ｔ３１０メカニズムに基づく。低リンク品質下のＤＬ ＳＣＥＬＬは、ｅＮＢコマンドに従って、無効化（Ｄｅａｃｔｉｖａｔｉｏｎ）と除去を行う。よって、ＵＥが、自動的に、このようなＳＣＥＬＬの無効化と除去を行うことを許可しない。ｅＮＢは、低リンク品質を検出することが出来ると仮定されるので（たとえば、ＣＱＩ報告からおよび／または現有のＲＲＭ測定報告）、ＵＥによる無線リンクモニタリング (すなわち、Ｎ３１０／Ｎ３１１/Ｔ３１０に基づいたＲＦＬ物理層問題検出)はＤＬ ＳＣＥＬＬに不要である。ＵＬ ＰＣＥＬＬ上のランダムアクセス失敗は、ＲＲＣ接続再構築のトリガーとなる。ＵＥは、ＤＬ ＳＣＥＬＬリンク品質に基づいて、ＵＬ ＳＣＥＬＬ上のあらゆる伝送を自立的に停止しない。
【０００６】
ＬＴＥ Ｒｅｌ-１１において、バンド間ＵＬ ＣＡがサポートされる。このほか、エンティティ間キャリアアグリゲーション、ｅＮＢ間/ＲＡＴ内キャリアアグリゲーションおよびｅＮＢ間/ＲＡＴ間キャリアアグリゲーションを含む各種ＣＡ展開状況がサポートされる。たとえば、エンティティ間キャリアアグリゲーションは、異なる伝送エンティティによるキャリアアグリゲーションを含み、異なる伝送エンティティは、たとえば、ｅＮＢとリモート無線ヘッダー(ＲＲＨ)、および、ｅＮＢと周波数選択リピーターである。これらのＣＡ展開状況において、ＵＬ電力制御のＵＬタイミングアドバンス値とＤＬパスロス推定は、経路、異なるエンティティ、異なる周波数バンドおよび／または異なるＲＡＴの違いによって異なる。たとえば、ＵＬ ＳＣＥＬＬは、ＵＬ ＰＣＥＬＬと異なる周波数バンドにより伝送される、および／または、ＵＬ ＳＣＥＬＬは、ＵＬ ＰＣＥＬＬと異なるエンティティにより伝送される。その結果、ＳＣＥＬＬとＰＣＥＬＬのタイミングアドバンスとパスロスは、非常に異なる。
【０００７】
現在の状態で、ＲＬＭはＰＣＥＬＬだけに応用され、無線リンクが、ＳＣＥＬＬでの伝送を継続するために十分かどうかを判断することには不適当である。物理層問題発生時のＲＦＬ検出も、ＰＣＥＬＬだけに用いられ、ＳＣＥＬＬが同期していない時、別のユーザーへの干渉を防止することができない。たとえば、無線リンク問題が、時間参照セルとして用いられるＤＬ ＳＣＥＬＬで発生する場合、不正確なＵＬタイミングを生じて、別のユーザーへの符号間干渉が発生する。同様に、無線リンク問題が、パスロス参照セルとして用いられるＤＬ ＳＣＥＬＬで発生する場合、不正確なパスロス推定を生じて、スプリアスＵＬ ＳＣＥＬＬ伝送が発生し、別のユーザーに干渉を発生する。さらに、ランダムアクセス問題発生時のＲＦＬ検出はＰＣＥＬＬだけに応用される。一旦、ランダムアクセス問題がＳＣＥＬＬで発生すると、性質が不確かになる。スプリアスおよび制御できないＵＬ ＳＣＥＬＬ伝送を防止し、ＳＣＥＬＬ上のランダムアクセスを監視するソリューションが求められる。
【発明の概要】
【発明が解決しようとする課題】
【０００８】
本発明は、セカンダリーサービングセル (ＳＣＥＬＬ)で、無線リンクモニタリング (ＲＬＭ)および無線リンク障害 (ＲＦＬ)ハンドリングを実行する方法が提案され、ＳＣＥＬＬ伝送のスプリアスおよび制御できないアップリンク (ＵＬ)、および、別のユーザーへの干渉を防止することを目的とする。
【課題を解決するための手段】
【０００９】
無線ネットワークにおいて、ユーザー装置 (ＵＥ)は、基地局 (ｅＮＢ)と無線リソース制御 (ＲＲＣ)接続を構築する。ＵＥは、複数のサービングセルとして設定される複数のコンポーネントキャリア (ＣＣ)にキャリアアグリゲーションを実行する。ＵＥは、プライマリーサービングセル (ＰＣＥＬＬ)で、無線リンクモニタリングを実行する。ＵＥは、セカンダリーサービングセル (ＳＣＥＬＬ)でも、無線リンクモニタリングを実行する。ＳＣＥＬＬはひとつ以上のＣＣのＣＣグループに属し、ＣＣグループの参照セルとして用いられる。ＳＣＥＬＬパフォーマンスが所定基準より低い時、ＵＥおよびｅＮＢは、ＳＣＥＬＬ上の、または、ＣＣグループ中の全ＣＣで、ある動作を実行する。
一例において、無線ネットワークは、キャリアアグリゲーション状況、たとえば、エンティティ間 ＣＡ、ｅＮＢ間/ＲＡＴ内ＣＡまたはｅＮＢ間/ＲＡＴ間ＣＡで展開される。これらのＣＡ展開状況において、アップリンク電力制御のアップリンク (ＵＬ)タイミングアドバンス (ＴＡ)値とダウンリンク (ＤＬ)パスロス推定は、パス、エンティティ、周波数バンド、および／または、ＲＡＴの違いによって異なる。その結果、ＵＥに集合したコンポーネントキャリア (ＣＣ)はＣＣグループに分けられる。同じＴＡ値をシェアするＣＣおよび／または同じパスロス値をシェアするＣＣは、同じＣＣグループ中に設定される。各ＣＣグループにおいて、一ＣＣはパスロス参照ＣＣとして選択され、同じまたは異なるＣＣは時間参照ＣＣとして選択される。一新規態様において、両ＰＣＥＬＬおよび参照ＳＣＥＬＬ中、ＲＬＭ/ＲＦＬが採用される。
【００１０】
ＳＣＥＬＬでＲＦＬ検出時、ＵＥは、自立的に、ＲＦＬ ＳＣＥＬＬまたは、同じＣＣグループ中の全ＳＣＥＬＬでのＵＬ伝送を停止する。ＵＬ伝送を停止するＵＥ動作は、同じＣＣグループ中の全ＳＣＥＬＬのＳＣＥＬＬの無効化により完成する。ＵＥは、問題イベント情報を収集および記録すると共に、ＳＣＥＬＬ ＲＦＬ情報を保存する。たとえば、ＳＣＥＬＬ ＲＦＬ情報は、失敗のＳＣＥＬＬ ＩＤを含むVarREL -Report中に保存される。ＵＥは、別の起動したサービングセルにより、自動的に、ｅＮＢに、ＳＣＥＬＬ ＲＦＬ通知を通知する。この通知は、検出された問題、たとえば、ＳＣＥＬＬ ＲＦＬが発生した、ＳＣＥＬＬまたはグループのＳＣＥＬＬの失活、および、ネットワークにより後に収集される記録された問題イベント情報の可用性を含む。ＵＥは、また、直接、ｅＮＢに、ＳＣＥＬＬ ＲＦＬ報告を報告する。ｅＮＢ 観点から、ＳＣＥＬＬ ＲＦＬ指示またはＳＣＥＬＬ ＲＦＬ報告受信後、ｅＮＢは、ＭＡＣ失活制御素子をＵＥに伝送することにより、ＲＦＬ ＳＣＥＬＬまたは同じＣＣグループ中のグループのＳＣＥＬＬを失活させる。或いは、ｅＮＢは、ＲＲＣ接続再設定メッセージをＵＥに伝送することにより、ＲＦＬ ＳＣＥＬＬまたは同じＣＣグループ中のＳＣＥＬＬのグループを設定解除する。
【００１１】
他の実施の形態および利点が以下の詳細な説明に述べられる。
【図面の簡単な説明】
【００１２】
【図１】本実施形態に係るエンティティ間ＣＡとＳＣＥＬＬ ＲＬＭ/ＲＦＬを有する無線通信ネットワークを示す図である。
【図２】本実施形態に係るｅＮＢ間/ＲＡＴ内ＣＡとＳＣＥＬＬ ＲＬＭ/ＲＦＬを有する無線通信ネットワークを示す図である。
【図３】本実施形態に係るｅＮＢ間/ＲＡＴ間ＣＡとＳＣＥＬＬ ＲＬＭ/ＲＦＬを有する無線通信ネットワークを示す図である。
【図４】本実施形態に係るＵＥとｅＮＢを示す図である。
【図５】選択されたＳＣＥＬＬ上で、ＲＬＭとＲＦＬハンドリングを実行する一具体例を示す図である。
【図６】物理層問題発生時の無線リンク障害検出の一具体例を示す図である。
【図７】ＰＣＥＬＬ中の無線リンク障害検出とハンドリングの一具体例を示す図である。
【図８】ＰＣＥＬＬおよびＳＣＥＬＬの無線リンク障害ハンドリングを示す図である。
【図９】ＳＣＥＬＬ中、ＲＬＭとＲＦＬ検出に基づいた可能なＵＥ動作を示す図である。
【図１０】ＳＣＥＬＬ ＲＦＬ指示とＲＦＬ報告を受信後の可能なｅＮＢ動作を示す図である。
【図１１】本実施形態に係るＵＥ観点からのＳＣＥＬＬのＲＬＭとＲＦＬハンドリングの方法のフローチャートである。
【図１２】本実施形態に係るによるｅＮＢ観点からのＳＣＥＬＬのＲＬＭとＲＦＬハンドリングの方法のフローチャートである。
【発明を実施するための形態】
【００１３】
本発明の実施態様について詳細に述べる。その例は添付図面に示されている。
【００１４】
３ＧＰＰロングタームエボリューション (ＬＴＥ)ネットワークにおいて、エンティティ間キャリアアグリゲーション、ｅＮＢ間/ＲＡＴ内キャリアアグリゲーションおよびｅＮＢ間/ＲＡＴ間キャリアアグリゲーションを含む各種キャリアアグリゲーション (ＣＡ)の展開状況が起こりうる。これらのＣＡ展開状況において、アップリンク電力制御のためのアップリンク (ＵＬ)タイミングアドバンス (ＴＡ)値およびダウンリンク (ＤＬ)パスロス推定は、パス、エンティティ、周波数バンド、および／または、ＲＡＴの違いによって異なる。その結果、ＵＥに集合したコンポーネントキャリア(ＣＣ) はＣＣグループに分けられる。同じＴＡ値をシェアするＣＣおよび／または同じパスロス値をシェアするＣＣは、同じＣＣグループ中に設定される。各ＣＣグループにおいて、一ＣＣはパスロス参照ＣＣとして選択され、ＵＬ伝送電力は、このパスロス参照ＣＣから推定されるＤＬパスロスに基づいて計算されるべきである。同様に、各ＣＣグループにおいて、一ＣＣが時間参照ＣＣとして選択され、ＵＬ伝送タイミングは、時間参照ＣＣのＤＬタイミング、および、ネットワークにより提供されるＴＡ値に基づいて計算されるべきである。各ＣＣグループ中のパスロス参照ＣＣおよび時間参照ＣＣは、同じセルまたは異なるセルである。ＵＥ中に複数のＣＣグループがあるとき、一ＣＣグループはプライマリーサービングセル (ＰＣＥＬＬ)を含み、他のＣＣグループはセカンダリーサービングセル(ＳＣＥＬＬ)だけを含む。ＣＡが設定される時、ＵＥは、ＰＣＥＬＬで維持されるネットワークによる一無線リソース制御 (ＲＲＣ) 接続だけを有する。
【００１５】
ＬＴＥ Ｒｅｌ-１０において、無線リンクモニタリング (ＲＬＭ)および無線リンク障害 (ＲＦＬ)検出は、ＳＣＥＬＬではなく、ＰＣＥＬＬだけに応用される。これは、例えばチャネル品質インジケータ（ＣＱＩ：Ｃｈａｎｅｌ  Ｑｕａｌｉｔｙ  Ｉｎｄｉｃａｔｏｒ）からの低リンク品質、及び／又は、ＲＲＭ測定報告の存在から、ｅＮＢが検出できると仮定できるためである。しかし、ＣＱＩ報告は、いつも、迅速に、無線リンク品質を反映しないので、信頼できない。たとえば、ＣＱＩ測定は、幾つかのサブフレームで平均化され、且つ、ＣＱＩの報告は予め設定され、すなわち、周期的にＣＱＩ報告される。ｅＮＢは、ＵＥから、非周期的ＣＱＩ報告をトリガーにできるが、ある状況、例えばＣＱＩ報告にエラーまたは欠落ある場合には、ｅＮＢは、各ＳＣＥＬＬを完全に認識し、かつ、完全に制御しているわけではない。このほか、非周期的ＣＱＩ報告のＵＬシグナリングオーバーヘッドも懸念される。一方、同期していないＳＣＥＬＬの継続使用は、別のユーザーに干渉を生じる。たとえば、無線リンク問題が、時間参照セルとして用いられるＤＬ ＳＣＥＬＬで発生する場合、不正確なＵＬタイミングを生じて、別のユーザーへの符号間干渉が発生する。同様に、無線リンク問題がパスロス参照セルとして用いられるＤＬ ＳＣＥＬＬで発生する場合には、不正確なパスロス推定を生じて、スプリアスＵＬ ＳＣＥＬＬ伝送が発生して、別のユーザーに干渉を生じる。よって、スプリアスおよび制御できないＵＬ ＳＣＥＬＬ伝送を防止するため、選択されたＳＣＥＬＬも、ＰＣＥＬＬと同様に、ＲＬＭ/ＲＦＬメカニズムが応用される。
【００１６】
図１は、本実施形態に係るエンティティ間キャリアアグリゲーションおよびＳＣＥＬＬ ＲＬＭ/ＲＦＬを有する無線通信ネットワーク１００を示す図である。無線ネットワーク１００は、ｅＮＢ１０１、リモート無線ヘッドＲＲＨ１０２およびＵＥ１０３を含む。エンティティ間ＣＡ展開状況において、少なくとも一ＣＣはｅＮＢからのものでありで、少なくとも一ＣＣは、ｅＮＢによる制御下の別のエンティティ、たとえば、ＲＲＨと周波数選択リピーターからのものである。これらのＣＣはＵＥ１０３に集められる。集合したＣＣ間で、一ＣＣはＰＣＥＬＬとして設定され、別のＣＣはＳＣＥＬＬとして設定される。図１の例において、同じエンティティからのＣＣは同じＴＡ値を有し、同じ周波数バンド中の同じエンティティからのＣＣは、同じ又は類似のパスロス現象を有する。たとえば、ｅＮＢ１０１とＵＥ１０３間のＰＣＥＬＬとＳＣＥＬＬ１は、同じＴＡ値を有し、ＲＲＨ１０２とＵＥ１０３間のＣＥＬＬ２、ＣＥＬＬ３およびＣＥＬＬ４は別のＴＡ値を有する。その結果、ＰＣＥＬＬおよびＳＣＥＬＬ１はＣＣグループ#1として設定され、ＣＥＬＬ２、ＣＥＬＬ３およびＣＥＬＬ４はＣＣグループ #2として設定される。本実施形態において、ＲＬＭ/ＲＦＬは、ＣＣグループ #1のＰＣＥＬＬに適用されて、ＲＲＣ接続を維持するだけでなく、ＣＣグループ #2のパスロス/時間参照セルとして設定されるＣＥＬＬ３にも適用される。
【００１７】
図２は、本実施形態に係るｅＮＢ間/ＲＡＴ内キャリアアグリゲーションおよびＳＣＥＬＬ ＲＬＭ/ＲＦＬを有する無線通信ネットワーク２００を示す図である。無線ネットワーク２００は、第一ｅＮＢ２０１、第二ｅＮＢ２０２およびＵＥ２０３を含む。ｅＮＢ間/ＲＡＴ内ＣＡ展開状況において、少なくとも一ＣＣは一ｅＮＢからのものであり、少なくとも 一ＣＣは別のｅＮＢからのものである。これらのＣＣはＵＥ２０３に集められる。集合したＣＣ間で、一ＣＣはＰＣＥＬＬとして設定され、別のＣＣはＳＣＥＬＬとして設定される。図２の例において、同じｅＮＢからのＣＣは同じＴＡ値を有し、同じ周波数バンド中の同じｅＮＢからのＣＣは、同じ/同様のパスロス現象を有する。たとえば、ｅＮＢ２０１とＵＥ２０３間のＰＣＥＬＬ、ＳＣＥＬＬ１およびＳＣＥＬＬ２は同じＴＡ値を有し、ｅＮＢ２０２とＵＥ２０３間のＣＥＬＬ３とＣＥＬＬ４は別のＴＡ値を有する。その結果、ＰＣＥＬＬ、ＳＣＥＬＬ１およびＣＥＬＬ２はＣＣグループ#1として設定され、ＣＥＬＬ３およびＣＥＬＬ４はＣＣグループ #2として設定される。本実施形態において、ＲＬＭ/ＲＦＬは、ＣＣグループ #1のＰＣＥＬＬに適用されて、ＲＲＣ接続を維持するだけでなく、ＣＣグループ #2のパスロス/時間参照セルとして設定されるＣＥＬＬ４にも適用される。
【００１８】
図３は、本実施形態に係るｅＮＢ間/ＲＡＴ間キャリアアグリゲーションとＳＣＥＬＬ ＲＬＭ/ＲＦＬを有する無線通信ネットワーク３００を示す図である。無線ネットワーク３００は、第一ｅＮＢ３０１(ＬＴＥ 無線アクセス技術を採用)、第二ｅＮＢ３０２ (ＵＭＴＳ無線アクセス技術を採用)およびＵＥ３０３を含む。ｅＮＢ間/ＲＡＴ間ＣＡ展開状況において、少なくとも一ＣＣは一ＲＡＴからのものであり、少なくとも一ＣＣは別のＲＡＴからのものである。これらのＣＣはＵＥ３０３に集められる。集合したＣＣ間で、一ＣＣはＰＣＥＬＬとして設定され、別のＣＣはＳＣＥＬＬとして設定される。図３の例において、同じＲＡＴからのＣＣは同じＴＡ値を有し、同じ周波数バンド中の同じＲＡＴからのＣＣは同じ又は類似するパスロス現象を有する。たとえば、ｅＮＢ３０１ (ＬＴＥ)とＵＥ３０３間のＰＣＥＬＬおよびＳＣＥＬＬ１は同じＴＡ値を有し、ｅＮＢ３０２ (ＵＭＴＳ)とＵＥ３０３間のＣＥＬＬ２とＣＥＬＬ３は、別のＴＡ値を有する。その結果、ＰＣＥＬＬおよびＳＣＥＬＬ１はＣＣグループ#1として設定され、ＣＥＬＬ２およびＣＥＬＬ３はＣＣグループ #2として設定される。本実施形態において、ＲＬＭ/ＲＦＬは、ＣＣグループ #1のＰＣＥＬＬに適用されて、ＲＲＣ接続を維持するだけでなく、ＣＣグループ #2のパスロス/時間参照セルとして設定されるＣＥＬＬ２にも適用される。
【００１９】
図４は、本実施形態に係るＳＣＥＬＬ ＲＬＭ/ＲＦＬハンドリングのＵＥ４０１およびｅＮＢ４０２を示す図である。ＵＥ４０１は、メモリ４１１、プロセッサ４１２、アンテナ４１８に結合されるトランシーバ４１３を含む。ＵＥ４０１は、さらに、セル設定を実行するセル設定モジュール４１５、無線リンクモニタリング、無線リンク障害検出およびハンドリングを実行するＲＬＭ/ＲＦＬモジュール４１６、および、ＲＲＣ接続セットアップ工程を実行し、ＲＲＣ接続を維持するＲＲＣ接続管理モジュール４１７を含む各種機能モジュールを含む。同様に、ｅＮＢ４０２は、メモリ４２１、プロセッサ４２２、アンテナ４２８に結合されるトランシーバ４２３を含む。ｅＮＢ４０２は、また、セル設定を実行するセル管理モジュール４２５、複数のＣＣグループを設定するＣＣグループモジュール４２６、および、ＲＲＣ接続セットアップ工程を実行し、ＲＲＣ接続を維持するＲＲＣ接続管理モジュール４２７を含む各種機能モジュールを含む。異なるモジュールは、ソフトウェア、ファームウェア、ハードウェア、または、それらの組み合わせにより実施される機能モジュールである。プロセッサにより実行されたとき(たとえば、プログラムコード４１４およびプログラムコード４２４を実行することより)、機能モジュールは、ＵＥ４０１とｅＮＢ４０２が、ＰＣＥＬＬと各設定されたＣＣグループの選択されたＳＣＥＬＬで、ＲＬＭ/ＲＦＬハンドリングを実行することができるようにする。
【００２０】
図５は、無線ネットワーク５００において、選択されたＳＣＥＬＬでＲＬＭおよびＲＦＬハンドリングを実行する一具体例を示す図である。ステップＳ５１１で、ＵＥ５０１は、ｅＮＢ５０２とＲＲＣ接続を構築する。ＲＲＣ接続は、単一のＰＣＥＬＬと複数のＳＣＥＬＬを含む複数のＣＣで構築される。ステップＳ５１２で、ｅＮＢ５０２は、ＵＥ５０１に、ＣＣグループ設定を実行する。ステップＳ５１３で、ｅＮＢ５０２は、ＵＥ５０１にＣＣ監視設定を実行する。ＣＣグループおよびＣＣ監視設定は、ｅＮＢ５０２により、ＵＥ５０１に提供される専用のシグナリングまたはブロードキャストシグナリングにより設定される。たとえば、特定のＣＡ展開状況に基づいて、ｅＮＢ５０２は、同じパスロス/タイミングを有するＣＣを同じＣＣグループにグループ分けし、その後、ＣＣグループ中のひとつ以上のセルを、パスロス/時間参照セルとして選択する。あるいは、各ＣＣグループ中、参照セルはＵＥにより選択される。本実施形態において、ＰＣＥＬＬを含まないＣＣグループにとって、ＵＬ電力制御のパスロス参照セルおよび／または時間参照セルとして用いられるＳＣＥＬＬは、ＲＬＭ/ＲＦＬのＳＣＥＬＬとして選択される。
【００２１】
ステップＳ５１４で、ＵＥ５０１は、ＰＣＥＬＬおよび選択されたＳＣＥＬＬで、ＲＬＭを実行する。たとえば、ＵＥ５０１は、セル特定参照信号 (ＣＲＳ)に基づいて、ＤＬ品質を監視して、ＰＣＥＬＬおよび選択されたＳＣＥＬＬのダウンリンク無線リンク品質を検出する。またＵＥ５０１は、スレショルドQOUT と QINで推定されたＤＬ品質を比較して、ＰＣＥＬＬおよび選択されたＳＣＥＬＬのダウンリンク無線リンク品質を監視する。QOUT は、ダウンリンク無線リンクが確実に受信できないレベルとして定義される。一般に、QOUT (同期していない) は、いくつかのネットワーク設定と無線状況を考慮した仮定(hypothetical)ＰＤＣＣＨ伝送のおおよそ10%のブロックエラー率に対応する。  一方、 QIN (in-sync) は、一般に、2%のブロック誤り率である。ＳＣＥＬＬのスレショルド QOUT と QIN はＰＣＥＬＬと同じか、または、ＰＣＥＬＬより少し低く、すなわち、ＲＲＣ接続はＳＣＥＬＬで維持されないので、物理層問題の検出が容易である。
【００２２】
ＲＬＭ以外に、ステップＳ５１５で、ＵＥ５０１は、ＰＣＥＬＬおよび選択されたＳＣＥＬＬで、ＲＦＬハンドリングを実行する。ＲＦＬを検出する３つの可能な方法がある。まず、RRC_CONNECTED 状態において、ＲＦＬは、Ｎ３１０／Ｎ３１１/Ｔ３１０メカニズムに基づいて、物理層の問題発生時に検出される。図６は、物理層の問題発生時の無線リンク障害検出の具体例を示す図である。図６の例において、低層 (たとえば、L1)から、N310 (たとえば、N310=4) の連続した “同期していない” 指示を受信した時に、物理層の問題が検出される。検出開始後、Ｔ３１０タイマーが開始する。Ｔ３１０タイマーの運転中、低層から、N311 (たとえば、N311=5) の連続した “in-sync” 指示を受信後、検出された物理層問題が回復される。Ｔ３１０の運転時、回復していない場合、Ｔ３１０の期限切れの後に、ＲＦＬが検出される。ＳＣＥＬＬのＮ３１０／Ｎ３１１/Ｔ３１０の値は設定可能で、ＰＣＥＬＬの値と同じ、又はＳＣＥＬＬ-特定のＳＣＥＬＬのＮ３１０／Ｎ３１１/Ｔ３１０の値である。
【００２３】
次に、ＲＦＬが、媒体アクセス制御 (ＭＡＣ)層からのランダムアクセス問題の指示で検出される。ランダムアクセス工程は、一般に、ＰＣＥＬＬで実行される。しかし、ＳＣＥＬＬでタイミングアドバンス値を得るために、ランダムアクセス工程があるＳＣＥＬＬ (たとえば、時間参照セルとして用いられる)で実行される。ランダムアクセスは、競争ベースまたは非競争ベースである。ランダムアクセスチャネル(ＲＡＣＨ：Ｒａｃｄｏｍ  Ａｃｃｅｓｓ  Ｃｈａｎｎｅｌ)失敗時、ランダムアクセスをＳＣＥＬＬに適用し、最多回数のＲＡＣＨプリアンブル伝送に基づくメカニズムがＲＦＬ検出に用いられる。たとえば、ＲＡＣＨプリアンブル伝送の回数が最大スレショルド値 (たとえば、preambleTransMax)を超える場合、ＭＡＣ層はランダムアクセス問題を上層に示した上で、ＲＦＬ検出のトリガーとなる。ＳＣＥＬＬのpreambleTransMaxの値は設定可能であり、ＰＣＥＬＬまたはＳＣＥＬＬ-特定の値と同じである。
【００２４】
最後に、無線リンク制御(ＲＬＣ：Ｒａｄｉｏ  Ｌｉｎｋ  Ｃｏｎｔｒｏｌ)層が、最多回数の再伝送に達したことを示すとき、ＲＦＬが検出される。ＲＬＣ層は、ＣＣ-に依存しない再伝送カウンターを有する。ＳＣＥＬＬ上のＲＬＣ問題は、ＰＣＥＬＬと同じ方法で処理される。一旦、ＲＦＬが検出されると、ＵＥは、検出された無線リンク障害を処理する必要がある。
【００２５】
図７は、ＰＣＥＬＬで、無線リンク障害の検出とハンドリングの具体例を示す図である。一般に、二段階で、ＲＦＬと関連する行為を制御する。ＵＥが、RRC_CONNECTEDモードにあり、正常操作を行っていると仮定する。第一段階は無線問題の検出時に開始され、タイマーまたは別の基準 (たとえば、T1期間未回復)に基づいた無線リンク障害の検出を行う。第二段階は無線リンク障害の検出時に開始され、タイマー (たとえば、T2期間未回復)に基づいて、ＵＥがRRC_IDLE に進入する。一般に、ＵＥは、第二段階で、ＲＲＣ再構築を試み、このような試みが失敗の場合、RRC_IDLEに戻る。ＲＲＣ接続の成功後、ＵＥは、保存されたＲＦＬ報告の可用性をｅＮＢに示して、要求後、ＲＦＬ情報をｅＮＢに報告する。これは、ＰＣＥＬＬのＲＦＬハンドリングの典型的な行為であり、ＳＣＥＬＬ上のＲＦＬハンドリングとは、全く異なる。たとえば、ＰＣＥＬＬ上の接続が依然として存在するので、ＵＥはＲＲＣ再構築をトリガーする必要がない。
【００２６】
図８は、無線ネットワーク８００におけるＰＣＥＬＬおよびＳＣＥＬＬの無線リンク障害ハンドリングを示す図である。ステップＳ８１１で、ＵＥ８０１は、元のｅＮＢ８０２とＲＲＣ接続を構築する。一ＲＲＣ接続だけがあるとき、キャリアアグリゲーション下で、ＵＥ８０１は、ＰＣＥＬＬデータパスおよびＳＣＥＬＬデータパスで、ｅＮＢ８０２と通信する。ＲＲＣ接続はＰＣＥＬＬで維持され、ＵＥ８０１は、ＰＣＥＬＬで、ＲＬＭ/ＲＦＬを実行する。ステップＳ８２１で、ＵＥ８０１は、ＰＣＥＬＬで、ＲＦＬを検出する。ステップＳ８３１で、ＵＥ８０１は別の適切なＣＥＬＬを見つけて、ｅＮＢ８０３により、ＲＣＣ再構築の工程を実行する。ＲＲＣ再構築の成功後、ステップＳ８４１で、ＵＥ８０１は、ｅＮＢ８０３と新しいＲＲＣ接続を構築する。ＵＥ８０１は、ＰＣＥＬＬデータパスおよびＳＣＥＬＬデータパスで、ｅＮＢ８０３と通信する。新しいＲＲＣ接続はＰＣＥＬＬで維持される。異なるタイミング/パスロスのため、ＰＣＥＬＬおよびＳＣＥＬＬが二個の異なるＣＣグループに属すると仮定する。よって、ＵＥ８０１は、ＰＣＥＬＬおよびＳＣＥＬＬで、ＲＬＭ/ＲＦＬを実行する。ステップＳ８５１で、ＵＥ８０１は、ＳＣＥＬＬで、ＲＦＬを検出する。ステップＳ８６１で、ＵＥ８０１は、ＳＣＥＬＬで、検出されたＲＦＬに基づいて、以下の動作を実行する。同様に、ステップ８６２で、ｅＮＢ８０３は、ＳＣＥＬＬで、検出されたＲＦＬに基づいて、以下の動作を実行する。ＳＣＥＬＬ ＲＦＬハンドリングのＵＥとｅＮＢ動作の詳細は、以下で示される。
【００２７】
図９は、ＳＣＥＬＬのＲＦＬ検出後の可能なＵＥ動作を示す図である。オプション９０１で、ＵＥは、自立的に、ＲＦＬ ＳＣＥＬＬまたはＲＦＬ ＳＣＥＬＬと同じＣＣグループ中の全ＳＣＥＬＬのＵＬ伝送を停止して、制御できないＵＬ伝送を回避し、別のユーザーへの干渉を防止する。ＵＥはＳＣＥＬＬに関連する全ＨＡＲＱバッファをフラッシュし、ＳＣＥＬＬのＳＲＳの伝送を停止し、ＳＣＥＬＬのＣＱＩ/ＰＭＩ/ＲＩ報告を停止し、ＳＣＥＬＬのＵＬ-ＳＣＨでの伝送を停止し、かつ、ＳＣＥＬＬ上でのＰＤＣＣＨの監視を停止する。オプション９０２で、ＵＥは、自立的に、ＲＦＬ ＳＣＥＬＬまたはＲＦＬ ＳＣＥＬＬと同じＣＣグループ中の全ＳＣＥＬＬを無効化にして、制御できないＵＬ伝送を回避し、別のユーザーへの干渉を防止する。ＳＣＥＬＬ無効化時、ＵＥは、ＳＣＥＬＬに関連するＳＣＥＬＬ無効化タイマーを停止し、ＳＣＥＬＬに関連する全ＨＡＲＱバッファをフラッシュし、ＳＣＥＬＬのＳＲＳ伝送を停止し、ＳＣＥＬＬのＣＱＩ/ＰＭＩ/ＲＩ報告を停止し、ＳＣＥＬＬのＵＬ-ＳＣＨでの伝送を停止し、かつ、ＳＣＥＬＬ上のＰＤＣＣＨの監視を停止する。
【００２８】
オプション９０３で、ＵＥは、問題イベント情報の収集および記録すると共に、ＳＣＥＬＬ ＲＦＬ情報を保存する。たとえば、ＳＣＥＬＬ ＲＦＬ情報は、失敗のＳＣＥＬＬ ＩＤを含むVarRFL-Report 中に保存される。収集された問題イベント情報は、有効な移動度測定、ＲＦＬ検出のトリガーメカニズム (たとえば、ＤＬ監視原因、ＲＡＣＨ原因、および、ＲＬＣ原因)、問題を生じる装置共存状態中の可用な情報、および、可用な地理的な位置情報を含む。さらに、ＲＲＣ ＵＥ情報工程 (任意で、ＲＦＬ報告)が再度使用されて、記録した情報をネットワークに運ぶ。
【００２９】
オプション９０４で、ＵＥは、別の起動したサービングセルにより、自動的に、ｅＮＢに、ＳＣＥＬＬ ＲＦＬ通知を通知する。この通知は、検出された問題、たとえば、ＳＣＥＬＬ ＲＦＬの発生、ＳＣＥＬＬまたはＳＣＥＬＬのグループの無効化、および、ネットワークにより後に収集される記録された問題イベント情報の有効性を含む。またＵＥは、ｅＮＢにＳＣＥＬＬ ＲＦＬ報告を直接報告する。この通知は、ＭＡＣ層制御素子 (ＣＥ)、ＰＵＳＣＨ上のＲＲＣメッセージ、または、ＰＵＣＣＨによるＰＨＹ層の指示により実施される。このほか、ＵＥは、ＰＣＥＬＬ ＰＵＣＣＨにより、ＳＣＥＬＬ中、特定のＣＱＩ値の伝送を維持することにより、疑わしいＲＦＬ ＳＣＥＬＬが無効化/設定解除されるまで、ｅＮＢに検出されたＳＣＥＬＬ ＲＦＬ問題を通知する。一例において、ＳＣＥＬＬ ＲＦＬを示す特定のＣＱＩ値は、ゼロに設定される。
【００３０】
図１０は、ＳＣＥＬＬ ＲＦＬ指示および／またはＲＦＬ報告の受信時の可能なｅＮＢ動作を示す図である。オプション１００１で、ｅＮＢは、ＵＥから、ＳＣＥＬＬ ＲＦＬ 指示を受信する。オプション１００１に続き、オプション１０１１で、ｅＮＢは、ＳＣＥＬＬ ＲＦＬ報告を回収する。たとえば、ｅＮＢは、ＵＥ情報要求 “RFL report request = TRUE”をＵＥに伝送する。それに応じて、ＵＥは、ＵＥ情報応答とＲＦＬ報告をｅＮＢに伝送する。オプション１００２で、ｅＮＢは、直接、ＵＥから、ＳＣＥＬＬ ＲＦＬ報告を受信する。オプション１００３で、ＭＡＣ起動/無効果制御素子をＵＥに伝送することにより、ｅＮＢは、同じＣＣグループ中のＳＣＥＬＬのＲＦＬ ＳＣＥＬＬまたはグループを無効果させる。オプション１００４で、ＲＲＣ接続の再設定メッセージをＵＥに伝送することにより、ｅＮＢは、ＲＦＬ ＳＣＥＬＬまたは同じＣＣグループ中のＳＣＥＬＬのグループの設定を解除する。ＳＣＥＬＬの無効化後、ＵＥは、ＳＣＥＬＬに関連するＳＣＥＬＬ無効化タイマーを停止し、ＳＣＥＬＬに関連する全ＨＡＲＱバッファをフラッシュし、ＳＣＥＬＬのＳＲＳの伝送を停止し、ＳＣＥＬＬのＣＱＩ/ＰＭＩ/ＲＩの報告を停止し、ＳＣＥＬＬのＵＬ-ＳＣＨ の伝送を停止し、ＳＣＥＬＬ上のＰＤＣＣＨの監視を停止する。
【００３１】
図１１は、本実施形態に係るＵＥ観点からのＳＣＥＬＬ上のＲＬＭおよびＲＦＬハンドリングの方法のフローチャートを示す図である。ステップＳ１１０１で、ユーザー装置 (ＵＥ)は、基地局 (ｅＮＢ)と、無線リソース制御 (ＲＲＣ) 接続を構築する。ＵＥは、複数のサービングセルとして設定される複数のコンポーネントキャリア (ＣＣ)に対して、キャリアアグリゲーションを実行する。ステップＳ１１０２で、ＵＥは、プライマリーサービングセル (ＰＣＥＬＬ)で、無線リンクモニタリングを実行する。ステップＳ１１０３で、ＵＥは、セカンダリーサービングセル (ＳＣＥＬＬ)で、無線リンクモニタリングを実行する。ＳＣＥＬＬは、ひとつのＣＣまたはひとつ以上のＣＣの一ＣＣグループに属する。ステップＳ１１０４で、ＳＣＥＬＬパフォーマンスが所定基準より低い時、ＵＥは動作を実行する。この動作は、ＳＣＥＬＬまたは同じＣＣグループ中の全ＣＣで実行される。
【００３２】
図１２は、本実施形態に係るｅＮＢ観点からのＳＣＥＬＬ上のＲＬＭとＲＦＬハンドリングの方法のフローチャートである。ステップＳ１２０１で、基地局 (ｅＮＢ)は、ユーザー装置 (ＵＥ)と無線リソース制御 (ＲＲＣ)接続を構築する。ＲＲＣ接続は、複数のサービングセルとして設定される複数のコンポーネントキャリア (ＣＣ)上で構築される。ステップＳ１２０２で、ｅＮＢは、ＵＥに、ひとつ以上のＣＣをＣＣグループとして設定する。ＣＣグループは、一セカンダリーサービングセル (ＳＣＥＬＬ)を含む。ステップＳ１２０３で、ｅＮＢは、ＵＥから通知を受信し、この通知は、検出された無線リンク障害、ＳＣＥＬＬの無効化、および、ＳＣＥＬＬの収集に用いる問題イベント情報中の少なくともひとつを含む。ステップＳ１２０４で、ｅＮＢは、受信された通知に基づいて、一動作を実行する。動作、たとえば、無効化/設定解除は、ＳＣＥＬＬおよび／または同じＣＣグループ中の全ＣＣで実行される。
【００３３】
本発明では好ましい実施形態を前述の通り開示したが、これらは決して本発明に限定するものではなく、当該技術を熟知する者なら誰でも、本発明の思想を脱しない範囲内で各種の変形を加えることができる。
【図４】
2015216681.tif 000003
【図５】
2015216681.tif 000004
【図６】
2015216681.tif 000005
【図７】
2015216681.tif 000006
【図８】
2015216681.tif 000007
【図９】
2015216681.tif 000008
【図１０】
2015216681.tif 000009
【図１１】
2015216681.tif 000010
【図１２】
2015216681.tif 000011
【図１】
2015216681.tif 000012
【図２】
2015216681.tif 000013
【図３】
2015216681.tif 000014
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
ユーザ装置 (以下、ＵＥと称す)により、基地局と無線リソース制御 (以下、ＲＲＣと称す)接続を構築し、前記ＵＥにより、複数のコンポーネントキャリア (以下、ＣＣと称す)に、キャリアアグリゲーションを実行する工程と、
前記ＵＥにより、プライマリーサービングセル(以下、ＰＣＥＬＬと称す)で無線リンクモニタリングを実行する工程であって、前記ＰＣＥＬＬはひとつ以上ＣＣの第１ＣＣグループに属す工程と、
セカンダリーサービングセル(以下、ＳＣＥＬＬと称す)を参照セルとして選択する工程であって、前記ＳＣＥＬＬはひとつ以上のＣＣの第２ＣＣグループに属する工程と、
前記ＵＥにより、選択された参照ＳＣＥＬＬで無線リンクモニタリングを実行する工程と、
前記参照ＳＣＥＬＬのパフォーマンスが所定基準より低い時、前記参照ＳＣＥＬＬまたは前記第２ＣＣグループ中の全ＣＣで動作を実行する工程とを含み、
前記動作は、前記ＵＥが、基地局に対して、検出された前記参照ＳＣＥＬＬの無線リンク障害、前記ＳＣＥＬＬの無効化、前記参照ＳＣＥＬＬに収集される問題イベント情報の可用性、および、前記参照ＳＣＥＬＬに収集される問題イベント情報中の少なくともひとつを通知することを含む
ことを特徴とする方法。
【請求項２】
前記参照ＳＣＥＬＬは、パスロス参照、および／または、タイミングアドバンス参照として用いられることを特徴とする請求項１に記載の方法。
【請求項３】
前記参照ＳＣＥＬＬは、ランダムアクセスチャネル (ＲＡＣＨ)工程を実行するために用いられることを特徴とする請求項１に記載の方法。
【請求項４】
前記無線リンクモニタリングは、スレショルドＱＩＮ／ＱＯＵＴ測定に基づいたダウンリンク監視を含むことを特徴とする請求項１に記載の方法。
【請求項５】
前記無線リンクモニタリングは、Ｎ３１０／Ｎ３１１/Ｔ３１０メカニズムに基づいた前記ＲＲＣ接続の物理層問題の検出に基づく無線リンク障害検出を含むことを特徴とする請求項４に記載の方法。
【請求項６】
前記無線リンクモニタリングは、ランダムアクセスチャネル(ＲＡＣＨ)失敗検出、および／または、最多回数の無線リンク制御(ＲＬＣ)再伝送に基づいた無線リンク障害検出を含んだアップリンク監視を含むことを特徴とする請求項１に記載の方法。
【請求項７】
前記動作は、前記ＵＥが、自立的に、前記参照ＳＣＥＬＬ上のアップリンク伝送を停止することを含むことを特徴とする請求項１に記載の方法。
【請求項８】
ユーザ装置 (以下、ＵＥと称す)であって、
無線ネットワークで基地局と無線信号を交換する無線周波トランシーバと、
複数のコンポーネントキャリア (以下、ＣＣと称す)で構築される無線リソース制御（以下、ＲＲＣと称す）接続を前記基地局と構築する無線リソース制御 (ＲＲＣ)接続管理モジュールと、
ひとつ以上のＣＣの第１ＣＣグループに属するプライマリーサービングセル(ＰＣＥＬＬ)、および、ひとつ以上のＣＣの第２ＣＣのグループに属する選択された参照セカンダリーサービングセル(以下、参照ＳＣＥＬＬと称す)で無線リンクモニタリングを実行する無線リンクモニタリングモジュールと、
前記参照ＳＣＥＬＬのパフォーマンスが所定基準より低い時、前記参照ＳＣＥＬＬまたは前記第２ＣＣグループ中の全ＣＣで動作を実行するＳＣＥＬＬ設定モジュールとを含み、
前記動作は、前記ＵＥが、基地局に対して、検出された前記参照ＳＣＥＬＬの無線リンク障害、前記参照ＳＣＥＬＬの無効化、前記参照ＳＣＥＬＬに収集される問題イベント情報の可用性、および、前記参照ＳＣＥＬＬに収集される問題イベント情報中の少なくともひとつを通知することを含む
ことを特徴とするユーザ装置。
【請求項９】
前記参照ＳＣＥＬＬは、パスロス参照および／またはタイミングアドバンス参照として用いられることを特徴とする請求項８に記載のユーザ装置。
【請求項１０】
前記参照ＳＣＥＬＬは、ランダムアクセスチャネル(ＲＡＣＨ)工程を実行するために用いられることを特徴とする請求項８に記載のユーザ装置。
【請求項１１】
前記無線リンクモニタリングは、スレショルドＱＩＮ／ＱＯＵＴ測定に基づいたダウンリンク監視を含むことを特徴とする請求項８に記載のユーザ装置。
【請求項１２】
前記無線リンクモニタリングは、Ｎ３１０／Ｎ３１１/Ｔ３１０メカニズムに基づいた前記ＲＲＣ接続の物理層問題の検出に基づく無線リンク障害検出を含むことを特徴とする請求項１１に記載のユーザ装置。
【請求項１３】
前記無線リンクモニタリングは、ランダムアクセスチャネル(ＲＡＣＨ)失敗検出および／または最多回数の無線リンク制御(ＲＬＣ)再伝送に基づいた無線リンク障害検出を含んだアップリンク監視を含むことを特徴とする請求項８に記載のユーザ装置。
【請求項１４】
前記動作は、前記ＵＥが、自立的に、前記ＳＣＥＬＬ上のアップリンク伝送を停止することを含むことを特徴とする請求項８に記載のユーザ装置。
【請求項１５】
複数のコンポーネントキャリア(以下、ＣＣと称す)で構築される無線リソース制御 (ＲＲＣ)接続を、ユーザ装置(以下、ＵＥと称す)と構築する工程と、
ひとつ以上のＣＣをＣＣグループとして前記ＵＥに設定する工程であって、前記ＣＣグループは、参照セルとしてセカンダリーサービングセル(以下、参照ＳＣＥＬＬと称す)を含んでいる、工程と、
検出された前記参照ＳＣＥＬＬ中の無線リンク障害、参照された前記参照ＳＣＥＬＬの無効化、前記参照ＳＣＥＬＬに収集される問題イベント情報の可用性、および、前記参照ＳＣＥＬＬに収集される前記問題イベント情報中の少なくともひとつを含む通知を前記ＵＥから受信する工程と、
受信した前記通知に基づき、前記参照ＳＣＥＬＬまたは前記ＣＣグループ中の全ＣＣで動作を実行する工程とを含む
ことを特徴とする方法。
【請求項１６】
前記参照ＳＣＥＬＬは、前記ＣＣグループのパスロス参照および／またはタイミングアドバンス参照として用いられることを特徴とする請求項１５に記載の方法。
【請求項１７】
前記参照ＳＣＥＬＬはランダムアクセスチャネル(ＲＡＣＨ)工程を実行するために用いされることを特徴とする請求項１５に記載の方法。
【請求項１８】
前記動作は、前記参照ＳＣＥＬＬを無効化させるまたは設定解除することを含むことを特徴とする請求項１５に記載の方法。
【請求項１９】
前記動作は、前記ＵＥから収集される問題イベント情報を要求および回収することを含むことを特徴とする請求項１５に記載の方法。